(57)【特許請求の範囲】
【請求項１】
床と対向する底面を有し、電気装置の筐体が載せられ、前記床と固定可能に構成される底部と、
前記底部に立てられる立部とを備え、
前記立部は、前記底部に載せられた前記筐体の背面と対向し前記筐体が固定される筐体固定面が前面に設けられ、前記筐体固定面から前後方向に離れて形成され壁と固定可能に構成される壁固定面が後面に設けられ、
前記筐体固定面と前記壁固定面とは連結している
ことを特徴とする固定部材。
【請求項２】
前記立部は、前記前面に形成された凹部を備える
ことを特徴とする請求項１記載の固定部材。
【請求項３】
前記立部は、前記底部に並んで立てられ前記筐体固定面を有する一対の柱部と、前記一対の柱部同士を連結し前記壁固定面を有する連結部とを備える
ことを特徴とする請求項１または２記載の固定部材。
【請求項４】
前記立部は、曲げ加工された板材で形成される
ことを特徴とする請求項１〜３のうちいずれか１項に記載の固定部材。
【請求項５】
前記底部に載せられた前記筐体を、前記筐体固定面とで前後方向に挟む支持部が前記底部に設けられる
ことを特徴とする請求項１〜４のうちいずれか１項に記載の固定部材。
【請求項６】
前記支持部は、前記筐体固定面との間隔が調整可能に構成される
ことを特徴とする請求項５記載の固定部材。
【請求項７】
前記底部に載せられた前記筐体の両側面と対向する一対の側板が前記底部に設けられる
ことを特徴とする請求項１〜６のうちいずれか１項に記載の固定部材。
【請求項８】
前記一対の側板は、前記底部と前記立部とを連結する
ことを特徴とする請求項７記載の固定部材。
【請求項９】
前記電気装置は、蓄電装置である
ことを特徴とする請求項１〜８のうちいずれか１項に記載の固定部材。
【発明の詳細な説明】
【技術分野】
【０００１】
本発明は、一般に固定部材、より詳細には電気装置の筐体を固定する固定部材に関する。
【背景技術】
【０００２】
近年、太陽光発電システムの普及や非常時の電力確保を目的として、筐体内に蓄電池を収納する蓄電装置が普及している。この種の蓄電装置の筐体は、固定部材を用いて床に置かれた状態で壁に固定される（例えば、特許文献１参照）。
【先行技術文献】
【特許文献】
【０００３】
【特許文献１】特開２０１３−１９６８５７号公報
【発明の概要】
【発明が解決しようとする課題】
【０００４】
しかし、従来の蓄電装置は、主に戸建住宅の１階に設置されることを想定している。そのため、固定部材による筐体固定の耐震性が、集合住宅、ビル等の中間階、上層階に設置するための耐震基準を満たしていなかった。
【０００５】
また、固定部材は、筐体を壁に固定する壁付けにのみ対応しており、筐体を壁ではなく床に固定する床付けには対応していなかった。
【０００６】
本発明は、上記事由に鑑みてなされており、その目的は、電気装置の筐体固定の耐震性を向上させ、さらに壁付けと床付けとの両方に対応することができる固定部材を提供することにある。
【課題を解決するための手段】
【０００７】
本発明の固定部材は、床と対向する底面を有し、電気装置の筐体が載せられ、前記床と固定可能に構成される底部と、前記底部に立てられる立部とを備え、前記立部は、前記底部に載せられた前記筐体の背面と対向し前記筐体が固定される筐体固定面が前面に設けられ、前記筐体固定面から前後方向に離れて形成され壁と固定可能に構成される壁固定面が後面に設けられ、前記筐体固定面と前記壁固定面とは連結していることを特徴とする。
【発明の効果】
【０００８】
本発明では、電気装置の筐体固定の耐震性を向上させ、さらに壁付けと床付けとの両方に対応することができるという効果がある。
【図面の簡単な説明】
【０００９】
【図１】Ａは、実施形態における固定部材の正面図である。Ｂは、実施形態における固定部材の側面図である。Ｃは、実施形態における固定部材の上面図である。
【図２】Ａは、実施形態における筐体が取り付けられた状態の固定部材の正面図である。Ｂは、実施形態における筐体が取り付けられた状態の固定部材の側面図である。Ｃは、実施形態における筐体が取り付けられた状態の固定部材の上面図である。
【図３】実施形態における固定部材の背面図である。
【図４】実施形態における固定部材の下面図である。
【図５】実施形態における固定部材の斜視図である。
【図６】実施形態における固定部材の斜視図である。
【図７】実施形態における筐体が取り付けられた状態の固定部材の斜視図である。
【図８】実施形態における支持部の分解斜視図である。
【図９】実施形態におけるカバーを外した筐体が取り付けられた状態の固定部材の正面図である。
【図１０】実施形態におけるカバーを外した筐体が取り付けられた状態の固定部材の一部を拡大した斜視図である。
【図１１】実施形態における固定部材を壁に固定した場合の側面図である。
【図１２】実施形態における固定部材を床に固定した場合の側面図である。
【発明を実施するための形態】
【００１０】
以下、本発明の実施の形態を図面に基づいて説明する。
【００１１】
（実施形態）
図１Ａ〜図１Ｃに、本実施形態の固定部材１の外観を示し、図２Ａ〜図２Ｃに、電気装置の筐体２０が取り付けられた状態の固定部材１の外観を示す。本実施形態は、電気装置の筐体２０を壁または床に固定する固定部材１である。また、本実施形態では、電気装置は、直方体形状の筐体２０に蓄電池を収納する蓄電装置２で構成されている場合を例として説明する。なお、電気装置は、蓄電装置２以外で構成されていてもよい。
【００１２】
まず、本実施形態の固定部材１の構成について、図１Ａ〜図１Ｃ、図２Ａ〜図２Ｃ、および図３〜図７を用いて説明する。なお、図１Ａにおける上下左右を、本実施形態の説明で用いる上下左右の各方向と規定し、図１Ｂにおける左右を、本実施形態の説明で用いる前後の各方向と規定する。
【００１３】
本実施形態の固定部材１は、筐体２０が載せられる底部３と、底部３に立てられ、筐体２０が固定される立部４とを備える。
【００１４】
底部３は、金属製の板材で構成されており、板材の複数個所を略９０度曲げ加工されることによって、底板３１と一対の側板３２とを形成している（図５参照）。
【００１５】
底板３１は、上下方向を厚み方向とする矩形板状に形成されており、床と対向する底面３１１（下面）を有する（図４参照）。そして、底板３１の上面には、左右方向を幅方向、上下方向を高さ方向、前後方向を奥行方向とする直方体形状に形成された筐体２０が載せられる（図２Ａ〜図２Ｃ、図７参照）。また、底板３１の四隅それぞれには、固定部材１を床に固定するために用いる孔３１２が形成されている（図４参照）。例えばネジやアンカーボルトなどの固定具が、各孔３１２を通って床に固定されることで、固定部材１を床に固定することができる。
【００１６】
一対の側板３２は、底板３１の左端における後端側から上に向かって形成され、左右方向を厚み方向とする左側板３３と、底板３１の右端における後端側から上に向かって形成され、左右方向を厚み方向とする右側板３４とで構成されている。左側板３３および右側板３４それぞれは、上下方向に沿って形成された後端部３２１と、下端と略平行に形成された上端部３２２と、上端部３２２の前端から前に向かうにつれて徐々に底板３１に近づく傾斜部３２３とを有する台形形状に形成されている。
【００１７】
また、左側板３３の上端部３２２から右に向かって、上下方向を厚み方向とする第１結合片３３１が形成され、右側板３４の上端部３２２から左に向かって、上下方向を厚み方向とする第２結合片３４１が形成されている（図３参照）。この第１結合片３３１および第２結合片３４１は、後述する立部４との結合を高めるために用いられる。
【００１８】
また、一対の側板３２（左側板３３および右側板３４）は、リブとしての機能も有しており、底部３の強度を向上させている。
【００１９】
そして、底部３の底板３１の上面における後端側に、底板３１に載せられた筐体２０を固定する立部４が立てられている。
【００２０】
立部４は、金属製の板材で構成されており、板材の複数個所を略９０度曲げ加工されることによって形成される板状の複数の片により、前後左右上下の各面を形成している。
【００２１】
立部４の左面を構成する左片４１、および右面を構成する右片４２それぞれは、上下方向を長手方向とし、左右方向を厚み方向とする矩形板状に形成されている。左片４１と右片４２とが左右方向に対向するように、左片４１は、底板３１の左端における後端側から上に向かって形成され、右片４２は、底板３１の右端における後端側から上に向かって形成されている。したがって、左片４１の左面と、左側板３３の右面とが左右方向に対向し、右片４２の右面と、右側板３４の左面とが左右方向に対向する。また、左片４１は、後端から前に向かって切り欠かれた第１切欠き部４１１が形成されており、この第１切欠き部４１１に左側板３３に形成された第１結合片３３１が通される。また、右片４２は、後端から前に向かって開口した第２切欠き部４２１が形成されており、この第２切欠き部４２１に右側板３４に形成された右結合片が通される。すなわち、第１切欠き部４１１に第１結合片３３１が嵌め込まれ、第２切欠き部４２１に第２結合片３４１が嵌め込まれることで、底部３と立部４とが結合される。
【００２２】
また、右片４２における上端側には、蓄電装置２の配線を通すために用いられる円形の孔４２２が上下方向に並んで２つ形成されており、孔４２２には、配線を保護するグルメット４２３が設けられている。
【００２３】
次に、左片４１の下端から右に向かって、上下方向を厚み方向とする矩形板状の第１下片４３１が形成され、右片４２の下端から左に向かって、上下方向を厚み方向とする矩形板状の第２下片４３２が形成されている。この第１下片４３１および第２下片４３２それぞれは、立部４の下面を構成しており、底板３１の上面と対向し、例えば溶接などによって底板３１と固定される。また、第１下片４３１および第２下片４３２それぞれは、底板３１に形成された孔３１２と対向する孔４３３が形成されている（図６参照）。固定部材１を床に固定する場合、孔３１２および孔４３３を通して、例えばネジやアンカーボルトなどの固定具が床に固定される。
【００２４】
次に、左片４１の前端から右に向かって、前後方向を厚み方向とする矩形板状の第１前片４４１が形成され、右片４２の前端から左に向かって、前後方向を厚み方向とする矩形板状の第２前片４４２が形成されている。第１前片４４１および第２前片４４２それぞれは、立部４の前面を構成しており、第１前片４４１と第２前片４４２とが左右方向に離れるように形成されている。すなわち、立部４の前面には、第１前片４４１と第２前片４４２との間に開口４４３が形成されている。
【００２５】
また、第１前片４４１における右上の隅、および第２前片４４２における左上の隅には、孔４４４が形成されている。この孔４４４は、筐体２０と固定部材１との固定に用いられるネジが通される。そして、筐体２０の背面が、第１前片４４１および第２前片４４２の前面と接触した状態で、筐体２０が固定部材１に固定される。すなわち、第１前片４４１および第２前片４４２それぞれの前面は、筐体２０の背面と対向し、筐体２０が固定される筐体固定面４４０として機能する。なお、筐体２０と固定部材１との固定については後述する。
【００２６】
ここで、上述した左片４１と第１前片４４１と第１下片４３１とで、底部３の底板３１に立てられる第１柱部４５１を構成し、上述した右片４２と第２前片４４２と第２下片４３２とで、底部３の底板３１に立てられる第２柱部４５２を構成している。すなわち、第１柱部４５１と第２柱部４５２とで構成される一対の柱部４５は、底部３の底板３１において左右方向に並んで立てられ、筐体２０が固定される筐体固定面４４０を有する。
【００２７】
次、左片４１の後端と右片４２の後端とを接続するように、左右方向を長手方向とし、前後方向を厚み方向とする矩形板状の第１後片４６１および第２後片４６２が形成されている。この第１後片４６１および第２後片４６２それぞれは、立部４の後面を構成している。第１後片４６１は、左片４１の後端における上端側と、右片４２の後端における上端側とを連続するように形成されている。第２後片４６２は、左片４１の後端における上下方向の中央部と、右片４２の後端における上下方向の中央部とを連続するように形成されている。また、第１後片４６１と第２後片４６２とは、上下方向に離れている。したがって、立部４の後面には、第１後片４６１と第２後片４６２と左片４１と右片４２とで囲まれた矩形状の開口４６３と、第２後片４６２と底板３１と左片４１と右片４２とで囲まれた矩形状の開口４６４とが形成されている。
【００２８】
また、第１後片４６１には、左右方向に並んだ２つの孔４６５が形成され、第２後片４６２には、左右方向に並んだ２つの孔４６６が形成されている。この孔４６５および孔４６６それぞれは、固定部材１を壁に固定するために用いられる。例えばネジやアンカーボルトなどの固定具が、孔４６５および孔４６６それぞれを通って壁に固定されることで、固定部材１を壁に固定することができる。したがって、第１後片４６１および第２後片４６２それぞれの後面は、壁と接触した状態で固定可能に構成される壁固定面４６０として機能する。また、第１後片４６１と第２後片４６２とで、一対の柱部４５（第１柱部４５１および第２柱部４５２）同士を連結し、壁固定面４６０を有する連結部４６を構成している。
【００２９】
また、第１後片４６１は、前面から前に突出した円柱状のボス４６７が形成されている（図１０参照）。ボス４６７は、前端から後に向かってネジ孔（図示なし）が形成されており、ネジ４６８が取り付けられる。このボス４６７に、蓄電装置２のアース線がネジ４６８を用いて取り付けられることで、蓄電装置２を接地することができる。また、第２後片４６２は、上端および下端それぞれから前に向かって形成された一対の鍔片４６９を備えている。この一対の鍔片４６９により、第２後片４６２の強度が向上する。
【００３０】
次に、第１後片４６１の上端から前に向かって、左右方向を長手方向とし、上下方向を厚みとする矩形板状の上片４７が形成されている。この上片４７は、立部４の上面を構成しており、左端が左片４１の上端と重なり、右端が右片４２の上端と重なり、前端が第１前片４４１および第２前片４４２の上端と重なるように形成されている。
【００３１】
このように、立部４は、底部３に載せられた筐体２０の背面と対向し筐体２０が固定される筐体固定面４４０が前面に設けられ、壁と固定可能に構成される壁固定面４６０が後面に設けられている。そして、立部４は、筐体固定面４４０を構成する第１前片４４１および第２前片４４２と、壁固定面４６０を構成する第１後片４６１および第２後片４６２とが前後方向に離れて形成されており、さらに前面には開口４４３が形成されている。すなわち、立部４は、後側を底とする凹部４０が前面に形成されており、第１前片４４１および第２前片４４２と、第１後片４６１および第２後片４６２との間に前後方向の隙間が形成されている。
【００３２】
また、底部３には、筐体２０を立部４とで前後方向に挟む支持部５が設けられている。図８に、支持部５の分解斜視図を示す。支持部５は、底板３１の上面に固定されるベース部材５１と、このベース部材５１に取り付けられ筐体２０を前から支持する押さえ部材５２とで構成されている。ベース部材５１は、曲げ加工された金属板で構成されており、上下方向を厚み方向とする矩形板状の保持片５１１が底板３１から上下方向に離れるように形成され、例えば溶接などによって底板３１の前端側に固定されている。押さえ部材５２は、Ｌ字状に形成された金属板で構成されている。押さえ部材５２は、上下方向を厚み方向としベース部材５１の保持片５１１と上下方向に対向する矩形板状の固定片５２１と、固定片５２１の後端から上に向かって形成され前後方向を厚み方向とする矩形板状の挟持片５２２とで構成されている。また、ベース部材５１の保持片５１１には、左右方向に並んだ一対の孔５１２が形成され、押さえ部材５２の固定片５２１には、孔５１２と対向するように左右方向に並んだ一対の孔５２３が形成されている。そして、ネジ５３が、孔５１２および孔５２３それぞれを通って保持片５１１の下側に設けられたナット５４（図１Ａ参照）に取り付けられることで、ベース部材５１と押さえ部材５２とが固定される。また、押さえ部材５２の固定片５２１に形成された孔５２３は、前後方向を長手方向する楕円形状に形成されており、前後方向におけるベース部材５１に対する押さえ部材５２の位置を、孔５２３の前後方向の寸法内で調整することができる。
【００３３】
次に、筐体２０と固定部材１との固定について説明する。
【００３４】
筐体２０は、壁または床に固定された状態の固定部材１に取り付けられる。図９に示すように、筐体２０は、前面のカバー２１が外された状態で、筐体２０の背板２２が立部４の前面（筐体固定面４４０）と接触するように底板３１に載せられる。なお、筐体２０には、蓄電池２０１、開閉器２０２などの複数の構成部材が収納されている。
【００３５】
筐体２０内の上端側において背板２２が前方に露出しており、ネジ２３を用いて背板２２を固定部材１の立部４に固定することで、筐体２０と固定部材１とが固定される。なお、筐体２０の背板２２は、筐体２０の背面を構成する部材であり、本実施形態では、複数部材が組み合わされることで背板２２が構成されている。
【００３６】
図１０に、筐体２０と固定部材１との固定箇所の拡大図を示す。筐体２０の背板２２には、立部４の第１前片４４１および第２前片４４２に形成された孔４４４それぞれと前後方向に対向する位置に、孔２４が形成されている。この孔２４は、ネジ２３および孔４４４よりも径が大きく形成されている。そこで、本実施形態では、矩形板状の座金２５を用いて筐体２０と固定部材１とをネジ止めする。なお、図１０では、ネジ２３と座金２５とが外された状態を示している。座金２５は、前後方向を厚み方向とする矩形板状の底片２５１と、底片２５１の側端（本実施形態では、上端および下端）から前に向かって矩形板状に形成され互いに対向する一対の側片２５２とで構成されており、底片２５１に孔２５３が形成されている。また、背板２２には、上下方向に沿った溝２２１が形成されており、この溝２２１の底部に孔２４が形成されている。座金２５は、溝２２１に嵌め込まれることで、位置決めされる。そして、ネジ２３が、座金２５に形成された孔２５３と、筐体２０の背板２２に形成された孔２４と、固定部材１に形成された孔４４４とを通って、第２前片４４２の後面に溶接されたナット（図示なし）に取り付けられる。これにより、筐体２０と固定部材１とが固定される。また、座金２５は、底片２５１の側端から前に向かって形成された側片２５２を備えているので、座金２５が筐体２０内の隙間等に入り込むことを防止することができる。なお、上記では、図１０を用いて、立部４の第２前片４４２と筐体２０との固定について説明したが、立部４の第１前片４４１と筐体２０との固定についても同様である。
【００３７】
このように、筐体２０の背面と、立部４の第１前片４４１および第２前片４４２の前面（筐体固定面４４０）とが面接触した状態で、筐体２０が固定部材１に固定される。
【００３８】
また、筐体２０の背板２２には、矩形状の開口２６が形成されている。この開口２６は、左右方向において立部４の第１前片４４１と第２前片４４２との間に形成されており、蓄電装置２の配線を、開口２６を介して立部４の凹部４０内に引き回すことができる。さらに、立部４の右片４２には、グルメット４２３が設けられており、このグルメット４２３を介して立部４の外側にも配線を引き回すこともできる。また、立部４の第１後片４６１の前面において、開口２６と前後方向と対向する位置にボス４６７が設けられているので、蓄電装置２のアース線をボス４６７と容易に接続し接地することができる。
【００３９】
そして、筐体２０と固定部材１とを一対のネジ２３を用いて固定した後、筐体２０のカバー２１が筐体２０の前面に取り付けられ、支持部５の挟持片５２２が筐体２０の前面（カバー２１）と接触するように、押さえ部材５２が前後方向に位置調整される。
【００４０】
上述したように、壁または床に固定された固定部材１に筐体２０が固定されることで、蓄電装置２を壁付けまたは床付けすることができる。なお、蓄電装置２を壁付けする場合、図１１に示すように、固定部材１は、立部４の第１後片４６１および第２後片４６２の後面が壁７１と面接触した状態で、ネジやアンカーボルトなどの固定具６１が孔４６５および孔４６６を通って壁７１に固定される。本実施形態では、孔４６５および孔４６６のサイズはΦ１０に設定され、固定具６１のサイズは、Ｍ８に設定されており、固定部材１と壁７１との固定強度を十分確保することができる。また、蓄電装置２を床付けする場合、図１２に示すように、固定部材１は、底部３の底板３１が床７２と面接触した状態で、ネジやアンカーボルトなどの固定具６２が孔３１２および孔４３３を通って床７２に固定される。本実施形態では、孔３１２および孔４３３のサイズはΦ１０に設定され、固定具６２のサイズはＭ８に設定されており、固定部材１と床７２との固定強度を十分確保することができる。なお、上記サイズは一例であり、これに限定する趣旨ではない。
【００４１】
このように、本実施形態の固定部材１は、床７２と対向する底面３１１を有し、蓄電装置２（電気装置）の筐体２０が載せられ、床７２と固定可能に構成される底部３と、底部３に立てられる立部４とを備える。立部４は、底部３に載せられた筐体２０の背面と対向し筐体２０が固定される筐体固定面４４０が前面に設けられ、筐体固定面４４０から前後方向に離れて形成され壁７１と固定可能に構成される壁固定面４６０が後面に設けられる。
【００４２】
すなわち、本実施形態の固定部材１は、底部３に筐体２０が載せられ、さらに立部４の前面に設けられた筐体固定面４４０が筐体２０の背面と面接触した状態で筐体２０が取り付けられる。固定部材１は、筐体２０と面接触した状態で筐体２０が固定されることにより、筐体２０と固定部材１との固定強度、特に前後方向の固定強度を向上させることができる。
【００４３】
さらに、本実施形態の固定部材１は、床７２と固定可能に構成される底部３と、壁７１と固定可能に構成される立部４とを備えるので、筐体２０の床付けと壁付けとの両方に対応することができる。また、固定部材１を壁７１に固定する場合、固定部材１は、固定部材１の後面に設けられた壁固定面４６０が壁７１と面接触した状態で壁７１に固定されるので、固定部材１と壁７１との固定強度、特に前後方向の固定強度を向上させることができる。また、固定部材１を床７２に固定する場合、固定部材１は、固定部材１の下面に設けられた底面３１１が床７２と面接触した状態で床７２に固定されるので、固定部材１と床７２との固定強度を向上させることができる。また、本実施形態の固定部材１を用いることによって、筐体２０が背板２２に固定用の孔２４（孔２５３）が形成されている場合であっても、筐体２０の床付けと壁付けとの両方に対応することができる。
【００４４】
さらにまた、筐体固定面４４０を構成する第１前片４４１および第２前片４４２と、壁固定面４６０を構成する第１後片４６１および第２後片４６２とが前後方向に離れて形成されている。したがって、筐体２０を固定部材１に固定するネジ２３が壁７１と干渉することを防止することができ、壁固定面４６０を壁７１と面接触させることができる。
【００４５】
そして、固定部材１を壁７１に固定する場合、固定具６１を用いて固定部材１と壁７１とを４箇所で固定し、固定部材１を床７２に固定する場合、固定具６２を用いて固定部材１と床７２とを４箇所で固定している。
【００４６】
上記構成により、本実施形態の固定部材１は、固定部材１と蓄電装置２の筐体２０との固定強度、および固定部材１と壁７１または床７２との固定強度を確保することができる。すなわち、本実施形態の固定部材１は、蓄電装置２の筐体固定の耐震性を向上させ、蓄電装置２を集合住宅、ビル等の中間階、上層階に設置するための耐震基準を満たすことが可能となる。
【００４７】
また、本実施形態の固定部材１の立部４は、前面に形成された凹部４０を備えるように構成される。これにより、立部４の前面を構成する第１前片４４１および第２前片４４２と、後面を構成する第１後片４６１および第２後片４６２との間に前後方向の隙間が形成される。この隙間を用いて立部４の内部に蓄電装置２の配線を引き回すことができ、配線が露出することを防止することができる。さらに、本実施形態の固定部材１は、立部４の右片４２にグルメット４２３が設けられており、グルメット４２３を介して立部４の外側にも配線を引き回すことができる。
【００４８】
また、本実施形態の固定部材１の立部４は、底部３に並んで立てられ筐体固定面４４０を有する一対の柱部４５と、一対の柱部４５同士を連結し壁固定面４６０を有する連結部４６とを有する。これにより、一対の柱部４５それぞれが、筐体２０の背面と面接触する筐体固定面４４０を有するので、筐体２０と固定部材１との固定強度を確保することができる。さらに、一対の柱部４５の間に空間が形成されるので、立部４を構成する材料を低減することができ、コスト削減と軽量化とを実現することができる。さらに、本実施形態では、立部４の後面に開口４６３および開口４６４が形成されており、固定部材１のさらなるコスト削減と軽量化を図ることができる。
【００４９】
また、本実施形態の固定部材１の立部４は、曲げ加工された板材で形成される。これにより、立部４を、複数部材を組み合わせて構成する場合に比べて強度を向上させることができる。
【００５０】
また、本実施形態の固定部材１は、底部３に載せられた筐体２０を、筐体固定面４４０とで前後方向に挟む支持部５が底部３に設けられる。この支持部５によって、筐体２０の前側から支えることができるので、前後方向に対する筐体２０と固定部材１との固定強度を向上させることができる。さらに、支持部５は、固定面との間隔が調整可能に構成される。本実施形態では、支持部５の押さえ部材５２に、前後方向を長手方向とする楕円形状の孔５２３が形成されている。これにより、底板３１に固定されたベース部材５１に対する押さえ部材５２の前後方向の位置を調整することができ、押さえ部材５２の挟持片５２２と筐体２０の前面とを確実に接触させることができる。したがって、前後方向に対する筐体２０と固定部材１との固定強度をより向上させることができる。
【００５１】
また、本実施形態の固定部材１は、底部３に載せられた筐体２０の両側面と対向する一対の側板３２が底部３に設けられる。この一対の側板３２により、左右方向における筐体２０の位置決めを行うことができる。また、一対の側板３２と筐体２０の両側面とが接触する、または一対の側板３２と筐体２０との隙間がわずかとなるように固定部材１の寸法を設計することが望ましい。これにより、一対の側板３２により、左右方向に対する筐体２０と固定部材１との固定強度を向上させることができる。
【００５２】
さらに、一対の側板３２は、底部３と立部４とを連結するように構成される。本実施形態では、立部４の左片４１に形成された第１切欠き部４１１に、底部３の左側板３３に形成された第１結合片３３１が嵌め込まれ、立部４の右片４２に形成された第２切欠き部４２１に、底部３の右側板３４に形成された第２結合片３４１が嵌め込まれる。これにより、底部３と立部４との固定強度が向上し、固定部材１をより強固に構成することができる。
【００５３】
また、電気装置は、蓄電装置２で構成されている。したがって、本実施形態の固定部材１を用いることによって、蓄電装置２を中間階、上層階に設置するための耐震基準を満たし設置することができる。
【００５４】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００５５】
１  固定部材
２  蓄電装置
２０  筐体
３  底部
４  立部
４４０  筐体固定面
４６０  壁固定面
７１  壁
７２  床
【図１】
0006344604.tif 000002
【図２】
0006344604.tif 000003
【図３】
0006344604.tif 000004
【図４】
0006344604.tif 000005
【図５】
0006344604.tif 000006
【図６】
0006344604.tif 000007
【図７】
0006344604.tif 000008
【図８】
0006344604.tif 000009
【図９】
0006344604.tif 000010
【図１０】
0006344604.tif 000011
【図１１】
0006344604.tif 000012
【図１２】
0006344604.tif 000013